(57)【特許請求の範囲】
【請求項１】
冷凍あるいは冷蔵倉庫の床施工箇所の地盤に基礎構造体を埋設し、
前記基礎構造体で囲まれた前記地盤上に、所定の高さの床下空間を形成するための複数のブロック型枠を配置し、
前記複数のブロック型枠上に、前記床下空間の上部全面を覆うように複数の防湿用支持部材を気密状態に載架すると共に、該床下空間の側部全面と該床下空間の周囲の前記地盤上とを、防湿層によって気密状態に覆い、
前記防湿層上に断熱材を配設すると共に、該断熱材で囲まれた前記支持部材上に断熱層を形成し、
前記断熱材及び前記断熱層上に防水層を形成し、該防水層上に前記基礎構造体で支持されるフーチン及びスラブ用コンクリートを打設してラック設置用の床スラブを形成することを特徴とする冷凍・冷蔵倉庫の床施工法。
【請求項２】
冷凍あるいは冷蔵倉庫の床施工箇所の地盤に基礎構造体を埋設し、該基礎構造体の地盤埋設箇所の外周を、所定の深さでかつ所定の厚さの断熱部材で覆い、
前記基礎構造体で囲まれた前記地盤上に、所定の高さの床下空間を形成するための複数のブロック型枠を配置し、
前記複数のブロック型枠上に、前記床下空間の上部全面を覆うように複数の防湿用支持部材を気密状態に載架すると共に、該床下空間の側部全面と該側部全面から前記断熱部材周辺にわたる領域の前記地盤上とを、防湿層によって気密状態に覆い、
前記防湿層上に断熱材を配設すると共に、該断熱材で囲まれた前記支持部材上に断熱層を形成し、
前記断熱部材、前記断熱材及び前記断熱層上に防水層を形成し、該防水層及び前記基礎構造体上にフーチン及びスラブ用コンクリートを打設してラック設置用の床スラブを形成することを特徴とする冷凍・冷蔵倉庫の床施工法。
【請求項３】
前記床下空間の高さと、前記断熱層、前記断熱部材及び前記断熱材の材質及び厚さとは、前記冷凍あるいは冷蔵倉庫内の冷却温度が前記地盤方向に伝導して該地盤の温度が凍上防止可能な温度以上に上昇する温度勾配特性を有するように設定することを特徴とする請求項１または２記載の冷凍・冷蔵倉庫の床施工法。
【請求項４】
前記防湿用支持部材は、前記複数のブロック型枠上に載置される複数の単管パイプと、前記複数の単管パイプ上に固定され接合箇所に気密処理が施される複数の波形プレートとで、構成することを特徴とする請求項１または２記載の冷凍・冷蔵倉庫の床施工法。
【請求項５】
前記断熱層及び前記断熱部材は発泡樹脂で形成し、前記断熱材は発泡樹脂ボードで形成することを特徴とする請求項３記載の冷凍・冷蔵倉庫の床施工法。
【発明の詳細な説明】
【０００１】
【発明の属する技術分野】
本発明は、ラックビル式自動倉庫等の冷凍あるいは冷蔵倉庫（この明細書では「冷凍・冷蔵倉庫」と呼ぶ）において、防湿・断熱構造の床施工法に関するものである。
【０００２】
【従来の技術】
冷凍・冷蔵倉庫では、外気に比べて倉庫内が例えば−２５℃等といった低温に冷却されるので、床スラブ等において防湿・断熱を施す必要があることが知られている。床スラブに防湿材や断熱材を設置する場合、例えば、ラック式自動倉庫では、床スラブにラックポスト等を設置する必要上、該床スラブ上に防湿材や断熱材を設置することが困難である。また、床スラブの躯体中に防湿材や断熱材をサンドイッチ状に挟んで施工する方法も考えられるが、これらはスラブと基礎が一体にならず、ラック設置の際に水平力の構造的処理が困難になる。そこで、床スラブの下面側等に防湿材及び断熱材を設置する床施工法が提案され、実施されている。
従来の冷凍・冷蔵倉庫における床施工法では、地盤に基礎杭等の基礎構造体を埋設した後、この基礎構造体上にスラブ型枠を設け、フーチン及びスラブ用コンクリートを打設してラック設置用の床スラブを形成する。床スラブの下側には、地盤の凍上を防止するために、換気用の空気層である床下空間が設けられる。床スラブ形成後、作業員が床下空間内に入り込み、スラブ型枠を撤去し、床スラブの下面等に断熱材を吹付け、この断熱材を防湿材で覆うようにしている。
【０００３】
【発明が解決しようとする課題】
しかしながら、従来の冷凍・冷蔵倉庫における床施工法では、基礎構造体上にスラブ型枠を設けて床スラブを形成した後、該床スラブの下側の床下空間に作業員が入り込み、該床スラブの下側から断熱処理及び防湿処理を施すようにしているので、作業効率が低く、作業の質の向上が困難である。しかも、スラブ型枠を解体した後、該床スラブの下側から断熱処理及び防湿処理を行わなければならず、余分な作業が必要となる。その上、床下作業のために充分な床下作業スペースが必要になり、さらに床下作業のために換気や進入口が必要になるので、コスト高になるという課題もあった。
本発明は、前記従来技術が持っていた課題を解決し、作業効率や作業の質を向上でき、しかも低コスト化が可能な冷凍あるいは冷蔵倉庫の床施工法を提供することを目的とする。
【０００４】
【課題を解決するための手段】
前記課題を解決するために、本発明のうちの請求項１に係る発明では、冷凍あるいは冷蔵倉庫の床施工法において、冷凍あるいは冷蔵倉庫の床施工箇所の地盤に基礎構造体を埋設し、前記基礎構造体で囲まれた前記地盤上に、所定の高さの床下空間を形成するための複数のブロック型枠を配置し、前記複数のブロック型枠上に、前記床下空間の上部全面を覆うように複数の防湿用支持部材を気密状態に載架すると共に、該床下空間の側部全面と該床下空間の周囲の前記地盤上とを、防湿層によって気密状態に覆い、前記防湿層上に断熱材を配設すると共に、該断熱材で囲まれた前記支持部材上に断熱層を形成し、前記断熱材及び前記断熱層上に防水層を形成し、該防水層上に前記基礎構造体で支持されるフーチン及びスラブ用コンクリートを打設してラック設置用の床スラブを形成するようにしている。
請求項２に係る発明では、冷凍あるいは冷蔵倉庫の床施工法において、冷凍あるいは冷蔵倉庫の床施工箇所の地盤に基礎構造体を埋設し、該基礎構造体の地盤埋設箇所の外周を、所定の深さでかつ所定の厚さの断熱部材で覆い、前記基礎構造体で囲まれた前記地盤上に、所定の高さの床下空間を形成するための複数のブロック型枠を配置し、前記複数のブロック型枠上に、前記床下空間の上部全面を覆うように複数の防湿用支持部材を気密状態に載架すると共に、該床下空間の側部全面と該側部全面から前記断熱部材周辺にわたる領域の前記地盤上とを、防湿層によって気密状態に覆い、前記防湿層上に断熱材を配設すると共に、該断熱材で囲まれた前記支持部材上に断熱層を形成し、前記断熱部材、前記断熱材及び前記断熱層上に防水層を形成し、該防水層及び前記基礎構造体上にフーチン及びスラブ用コンクリートを打設してラック設置用の床スラブを形成するようにしている。
このような請求項１及び２の構成を採用したことにより、基礎杭等の基礎構造体が地盤に埋設された後、上方向に向って、防湿用支持部材、防湿層、断熱材、及び断熱層によって防湿処理及び断熱処理が施され、これらの上から防水層を介してラック設置用の床スラブが形成される。
【０００５】
請求項３に係る発明では、請求項１または２の冷凍あるいは冷蔵倉庫の床施工法において、前記床下空間の高さと、前記断熱層、前記断熱部材及び前記断熱材の材質及び厚さとは、前記冷凍あるいは冷蔵倉庫内の冷却温度が前記地盤方向に伝導して該地盤の温度が凍上防止可能な温度以上に上昇する温度勾配特性を有するように設定される。
このような構成を採用したことにより、床下空間の高さを必要以上に高くすることなく、適切な材質及び厚さの防湿・断熱材料を用いて効率良く凍上防止が行える。
請求項４に係る発明では、請求項１または２の冷凍あるいは冷蔵倉庫の床施工法において、前記防湿用支持部材は、前記複数のブロック型枠上に載置される複数の単管パイプと、前記複数の単管パイプ上に固定され接合箇所に気密処理が施される複数の波形プレートとで、構成される。
このような構成を採用したことにより、複数のブロック型枠上に複数の単管パイプを載置し、この上に複数の波形プレートが固定され、かつ各波形プレート間の接合箇所に気密処理が施され、防湿用支持部材が形成される。
請求項５に係る発明では、請求項３の冷凍あるいは冷蔵倉庫の床施工法において、前記断熱層及び前記断熱部材が発泡樹脂で形成され、前記断熱材が発泡樹脂ボードで形成される。
このような構成を採用したことにより、防湿層上に発泡樹脂ボードが配設され、この発泡樹脂ボードで囲まれた支持部材上に、発泡樹脂の吹付け等によって断熱層が形成され、断熱処理が施される。
【０００６】
【発明の実施の形態】
図１は本発明の実施形態を示すラックビル式冷凍あるいは冷蔵倉庫における床構造の要部の縦断面図、図２（ａ），（ｂ）は図１を含む床構造の全体の縦断面図、図３は図１中のブロック型枠部分の拡大縦断面図である。さらに、図４（ａ），（ｂ）は図１中の防湿用支持部材部分の図であり、同図（ａ）は斜視図、及び同図（ｂ）は各キーストンプレート間の接合箇所の断面図である。
本実施形態のラックビル式冷凍あるいは冷蔵倉庫における床施工法では、以下の（１）〜（５）の工事が行われる。
（１）  基礎工事
図２（ａ），（ｂ）に示すように、冷凍あるいは冷蔵倉庫の床施工箇所の地盤１を掘削すると共に、この掘削箇所にデープウエル２や基礎杭（例えば、コンクリート杭）３等の基礎構造体を打込む等して埋設する。図１に示すように、コンクリート杭３の上部を所定の高さに根伐する。コンクリート杭３の上部外周の地盤１を所定の深さだけ掘削し、この掘削箇所４に、防熱工事によって枠部材（例えば、スチール枠）５で該コンクリート杭３の上部外周を囲む。防熱工事によってスチール枠５内に断熱部材（例えば、ウレタン等の発泡樹脂）６を注入し、該発泡樹脂６によってコンクリート杭３の上部を所定の深さでかつ所定の厚さで覆う。スチール枠５の外周の掘削箇所４の地盤１を埋戻す。その後、露出した地盤１の表面を捨てコン７で覆う。
【０００７】
（２）  型枠の設置及び防湿処理
コンクリート杭３の周辺の捨てコン７上に、所定の高さ（例えば、５００mm程度）の床下空間８を形成するための複数のブロック型枠９を配置する。ブロック型枠９は、図３及び図４に示すように、凹部９ａを有するコンクリートブロックを複数段積み上げた状態で配置される。床下空間８の上部全面を覆うように、複数のブロック型枠９上に複数の防湿用支持部材が気密状態に載架される。
防湿用支持部材は、例えば、複数の単管パイプ１０と、防湿層としての機能を有する複数の波形プレート（例えば、キーストンプレート）１１とで構成されている。このような防湿用支持部材を設ける場合、複数のブロック型枠９の凹部９ａ上に複数の単管パイプ１０を載置し、これらの単管パイプ１０上に複数のキーストンプレート１１の凹部が嵌合するように、これらのキーストンプレート１１を該単管パイプ１０上に並べていく。各キーストンプレート１１間の接合箇所では、これらの凹部または凸部を一部重ね合わせて防湿効果を向上させる。キーストンプレート１１の横ずれを防止するため、このキーストンプレート１１を固定手段（例えば、溶接）によって単管パイプ１０上に固定し、これらの溶接箇所１２をコーキングする。さらに、各キーストンプレート１１間の接合箇所には、防湿テープ１３を貼着して気密処理を施す。これにより、床下空間８の上部全面がキーストンプレート１１によって気密状態で覆われる。
さらに、床下空間８の側部全面と、該側部全面からスチール枠５周辺にわたる領域の捨てコン７上とを、防熱工事によって防湿層（例えば、ゴムアスシート）１４で気密状態に覆う。
【０００８】
（３）  断熱処理
防熱工事によってゴムアスシート１４上に、所定の厚さの断熱材（例えば、複数枚のウレタン等の発泡樹脂ボード）１５を配設する。さらに、発泡樹脂ボード１５上及び発泡樹脂６上に、防熱工事によって防水層（例えば、砂付きアスファルト）１６を形成する。次に、発泡樹脂ボード１５で囲まれたキーストンプレート１１上に、防熱工事によって所定の厚さの断熱層（例えば、ウレタン等の発泡樹脂）１７を吹付け等で形成する。
（４）  防水処理
砂付きアスファルト１６の水平領域上及び発泡樹脂１７上に、防水層（例えば、捨てコン）１８を形成する。
（５）  コンクリート打設
床下空間８と外気とを連通する換気用の通気管１９を適宜設けておき、コンクリート杭３及び捨てコン１８上に、配筋等を行って所定の厚さのフーチン用コンクリート２０ａを打設し、さらにその上にスラブ用コンクリート２０ｂを打設してラック設置用の床スラブ２０を形成する。
そして、床スラブ２０のまわりを囲む形で壁２１を構築し、この壁２１の内側にウレタン等の断熱材２２を設け、さらに該床スラブ２０にラックポスト等を設置すれば、冷凍あるいは冷蔵倉庫の構築が完了する。
【０００９】
以上のように、本実施形態における冷凍あるいは冷蔵倉庫の床施工法では、次の（ａ）〜（ｄ）のような効果がある。
（ａ）  地上側から防湿処理と断熱処理を行った後に床スラブ２０を形成するので、作業がしやすく、作業効率が高くなって作業の質を向上できる。さらに、従来の床施工法では、防湿処理及び断熱処理が床下作業のため、換気及び進入口が必要になったり、スラブ型枠の解体等が必要であったが、本実施形態では、これらの余分な工事が不要となるので、作業効率がより向上すると共にコストの低減化が図れる。
（ｂ）  従来の床施工法では、防湿処理及び断熱処理が床下作業のため、床下空間８の高さを高くして充分な床下作業スペースを確保する必要があった。これに対して本実施形態では、地上側から防湿処理及び断熱処理を行った後に床スラブ２０を形成する工法であるため、凍上防止のための換気が行われる程度の床下空間８の高さを確保できればよいので、該床下空間８の高さを低くでき、これによって作業量や建設資材を削減できる。さらに、冷凍あるいは冷蔵倉庫内の冷却温度（例えば、−２５℃程度）が地盤１方向に伝導して該地盤１の温度が凍上防止可能な温度（例えば、０℃程度）以上に上昇する温度勾配特性を有するように、床下空間８の高さと、防湿処理部分及び断熱処理部分の材質及び厚さとを設定することにより、作業量及び建設資材量をより少なくして地盤１の凍上を的確に防止できる。
（ｃ）  床下空間８の上部全面を覆うキーストンプレート１１は、スラブ型枠としての機能を有すると共に防湿機能も有しているので、スラブ型枠と防湿部材とを別個に設ける施工法に比べて、作業量と建設資材を削減できる。
（ｄ）  発泡樹脂６，１７及び発泡樹脂ボード１５を用いて断熱処理をしているので、作業が比較的簡単で、しかも断熱効率が高い。さらに、キーストンプレート１１上の発泡樹脂１７と防水用捨てコン１８との付着が良いので、該捨てコン１８の剥離等を防止でき、防水効率を向上できる。
【００１０】
なお、本発明は上記実施形態に限定されず、種々の変形が可能である。この変形例としては、例えば、次の（ｉ）〜（ｖ）のようなものがある。
（ｉ）  コンクリート杭３は他の基礎構造体で構成してもよい。コンクリート杭３の上部外周を覆う発泡樹脂６は、スチール枠５以外の他の枠部材を用いた断熱部材や、あるいは枠部材を用いないで該断熱部材を形成するようにしてもよい。
（ii）  ブロック型枠９は、図示以外の構造のものを用いてもよい。さらに、このブロック型枠９上に設けられる単管パイプ１０及びキーストンプレート１１は、他の構造の防湿用支持部材で構成してもよい。
(iii）  発泡樹脂ボード１５は、他の断熱材を用いてもよい。さらに、この断熱材は、発泡樹脂の吹付け等によって形成するようにしてもよい。また、キーストンプレート１１上に形成される発泡樹脂１７は、他の材料を用いた断熱層で形成してもよい。
（iv）  捨てコン１８によって防水層を形成したが、他の材料を用いて防水層を形成してもよい。
（ｖ）  図１では、コンクリート杭３の上部外周を発泡樹脂６で覆い、これらの周辺に発泡樹脂ボード１５を設けているが、これは該コンクリート杭３の上部付近の凍上を防止するためである。そのため、図２（ａ）に示すように、床下空間８と壁２１との間にコンクリート杭３が設けられていない箇所では、該床下空間８の側部の外周に発泡樹脂ボード１５等のような断熱材を設ける必要がない。
【００１１】
【発明の効果】
以上詳細に説明したように、本発明のうちの請求項１及び２に係る発明によれば、地上側から、床下空間を形成するためのブロック型枠及び防湿用支持部材を設け、所定の防湿処理及び断熱処理を行った後に床スラブを形成するようにしているので、防湿処理及び断熱処理の作業が容易になり、作業効率及び作業の質を向上できる。しかも、従来のように防湿処理及び断熱処理を床下作業で行う床施工法に比べ、床下作業のための換気及び進入口や、スラブ型枠の解体等が不要になり、作業量及び建設資材を削減でき、コストを低減できる。
請求項３に係る発明によれば、床下空間の高さと、断熱層、断熱部材及び断熱材の材質及び厚さとを、温度勾配特性を考慮して設定するようにしたので、少ない作業量及び建設資材で、的確に地盤の凍上を防止できる。
請求項４に係る発明によれば、単管パイプと波形プレートとで防湿用支持部材を構成するので、作業が簡単になると共に、波形プレートによってスラブ型枠及び防湿材としての機能を発揮させることができ、これらのスラブ型枠と防湿材とを別個に設ける方法に比べ、作業量及び建設資材を削減できる。
請求項５に係る発明によれば、断熱層及び断熱部材を発泡樹脂で形成し、断熱材を発泡樹脂ボードで形成するようにしたので、断熱効果が高く、しかも材料が軽いので作業が容易に行える。
【図面の簡単な説明】
【図１】本発明の実施形態を示すラックビル式冷凍あるいは冷蔵倉庫における床構造の要部の縦断面図である。
【図２】図１を含む床構造の全体を示す縦断面図である。
【図３】図１中のブロック型枠部分の拡大縦断面図である。
【図４】図１中の防湿用支持部材部分の図である。
【符号の説明】
１                      地盤
３                      コンクリート杭
５，１７                発泡樹脂
８                      床下空間
９                      ブロック型枠
１０                    単管パイプ
１１                    キーストンプレート
１４                    ゴムアスシート
１５                    発泡樹脂ボード
１６                    砂付きアスファルト
１８                    捨てコン
１９                    通気管
２０                    床スラブ
２０ａ                  フーチン用コンクリート
２０ｂ                  スラブ用コンクリート
２１                    壁
２２                    断熱材
【図１】
0003746595.tif 000002
【図２】
0003746595.tif 000003
【図３】
0003746595.tif 000004
【図４】
0003746595.tif 000005